(57)【要約】【課題】シャッタ操作部の操作時に、撮影用レンズ光軸直交方向への撮像装置本体の移動を抑制可能な撮像装置を提供する。【解決手段】シャッタボタン２８は、カメラ本体１２背面のグリップ部１８Ｂの上側で、背面側から右手でグリップ部１８Ａ及びグリップ部１８Ｂを握ってカメラを保持した場合に、親指で押し込み可能な位置に配置されており、撮影レンズ１４の光軸Ｌに沿った方向に押し込み可能となっている。【選択図】  図１
2005024999.tif 000002
【特許請求の範囲】
【請求項１】
撮像装置本体と、
前記撮像装置本体に設けられ、撮影用レンズの光軸方向に沿って移動可能とされ、この移動によりシャッタの操作が行われるシャッタ操作部と、
を備えた撮像装置。
【請求項２】
前記撮像装置本体の側部片側に保持部をさらに備え、
前記シャッタ操作部は、前記保持部を用いて前記撮像装置本体を片手で保持した際に、該手の所定の指で操作可能な位置に配置されることを特徴とする請求項１に記載の撮像装置。
【請求項３】
前記保持部の一部は、該保持部を用いて前記撮像装置本体を片手で保持して該手の所定の指で前記シャッタ操作部を操作する際に、該手の一部分によって前記撮像装置本体を前記シャッタ操作部の移動方向と逆方向に押圧可能な位置に配置されることを特徴とする請求項２に記載の撮像装置。
【発明の詳細な説明】
【０００１】
【発明の属する技術分野】
本発明は撮像装置に係り、特に、手振れによる像ブレを低減させる撮像装置に関する。
【０００２】
【従来の技術】
従来より、カメラで撮像する際の手振れによる像ブレを低減させるために、種々の構成が提案されている。
【０００３】
例えば、特許文献１、２、では、図５（Ａ）に示すように、カメラ本体１００の上面にレリーズボタン１０２が設けられると共に、レリーズボタン１０２の撮影レンズ１０４を挟んだ反対側に、像ブレを補正制御するためのブレ補正実行スイッチ１０６が設けられている。当該構成によれば、ブレ補正実行スイッチ１０６の操作は、レリーズボタン１０２の操作を行わない方の手で行われる。したがって、レリースボタン１０２及びブレ補正実行スイッチ１０６の操作時には、カメラ本体１００は両手で保持されるため、ブレ補正実行スイッチ１０６の操作が手振れの原因となることを抑えることが可能である。しかしながら、上記のカメラでは、レリーズボタン１０２は、撮影レンズ１０４の光軸と直交する方向に押下されるため、カメラ本体１００の撮影レンズ１０４の光軸直交方向への移動量は大きい。また、手振れを抑えるためにはカメラを両手で保持する必要があり、片手で保持した場合の手振れを抑制することはできない。
【０００４】
また、特許文献２では、ブレ補正実行スイッチ１０６が、押下により像ブレ補正制御を解除するためのスイッチとされている。これにより、ブレ補正実行スイッチ１０６の押下時には、カメラ本体１００は両手で保持されているため、手振れによる像ブレを抑えることが可能である。また、カメラ本体１００が片手で保持されている場合には、ブレ補正実行スイッチ１０６は押下されないが、レリーズボタン１０２の操作時に、手振れによる像ブレは像ブレ補正制御により補正されるため、手振れによる像ブレを抑えることが可能である。しかしながら、上記のカメラでも、レリーズボタン１０２は撮影レンズ１０４の光軸と直交する方向に押下されるため、カメラ本体１００の撮影レンズ１０４の光軸直交方向への移動量は大きい。また、手振れを抑えるためにはカメラを両手で保持する必要があり、片手で保持した場合の手振れを抑制することはできない。
【０００５】
これに対し、特許文献３に記載されたカメラでは、図５（Ｂ）に示すように、レリーズボタン１１０が縦型のカメラ本体１１２の側面に設けられている。当該構成によれば、カメラ本体１１２を片手で前面から保持し、保持した手の指でレリーズボタン１１０を操作可能であるため、レリーズボタン１１０の操作に伴うカメラ本体１１２の上下の移動を抑えることが可能である。
【０００６】
しかしながら上記構成でも、レリーズボタン１１０はレンズ１１４の光軸に対して垂直方向に押し込まれるため、レリーズボタン１１０の操作に伴うカメラ本体１１２のレンズ１１４の光軸直交方向への移動を抑えることができず、当該移動による像ブレが発生してしまう、という問題があった。
【０００７】
【特許文献１】
特開平７−２１８９４９号公報
【特許文献２】
特開平７−２１８９６６号公報
【特許文献３】
特開平７−５６２２４号公報
【０００８】
【発明が解決しようとする課題】
本発明は、上記事実を考慮し、シャッタ操作部の操作時に、撮影用レンズ光軸直交方向への撮像装置本体の移動を抑制可能な撮像装置を提供することを目的とする。
【０００９】
【課題を解決するための手段】
上記目的を達成するために、本発明の撮像装置は、撮像装置本体と、前記撮像装置本体に設けられ、シャッタ操作時に撮影用レンズの光軸方向に沿って移動されるシャッタ操作部と、を含んで構成されている。
【００１０】
上記構成によれば、シャッタ操作部を撮影用レンズの光軸方向に沿って移動させることで、シャッタが操作される。ここで、「光軸方向に沿って」とは、光軸方向と一致する方向から、光軸方向から４５°の方向までのすべての方向を含む。したがって、シャッタ操作部の操作により撮像装置が動いても、その方向は撮像用レンズの光軸に沿った方向なので、シャッタ操作部が光軸の直交方向に移動される場合と比較して、撮像装置の光軸の直交方向への動きは少なくなる。このため、撮影された写真の像ブレによる不鮮明さを低減させることができる。
【００１１】
なお、本発明は、請求項２に記載のように、前記撮像装置本体の側部片側に保持部をさらに備え、前記シャッタ操作部が、前記保持部を用いて前記撮像装置本体を片手で保持した際に、該手の所定の指で操作可能な位置に配置されることを特徴とすることもできる。
【００１２】
上記構成によれば、シャッタを操作する際に、保持部を用いて撮像装置本体を片手で保持し、保持したその手でシャッタ操作部を操作することができ、操作性が向上する。
【００１３】
また、本発明は、請求項３に記載のように、前記保持部の一部が、該保持部を用いて前記撮像装置本体を片手で保持して該手の所定の指で前記シャッタ操作部を操作する際に、該手の一部分によって前記撮像装置本体を前記シャッタ操作部の移動方向と逆方向に押圧可能な位置に配置されることを特徴とすることもできる。
【００１４】
上記構成によれば、保持部を用いて前記撮像装置本体を片手で保持し、保持した手の所定の指でシャッタ操作部を操作する際に、その手の一部分によって、前記撮像装置本体が前記シャッタ操作部の移動方向と逆方向に押圧される。この押圧によりシャッタ操作時における撮像装置の動きが抑えられ、手振れを低減させることができる。
【００１５】
【発明の実施の形態】
以下、図面を参照して本発明の実施の形態について説明する。
【００１６】
本発明の適用された撮像装置としてのカメラ１０は、デジタルカメラであっても所謂銀塩式カメラであってもよいが、以下ではデジタルカメラを例にして説明する。図１（Ａ）に示すように、カメラ１０は、カメラ本体１２の前面に、撮影レンズ１４、センサ１６、及びグリップ部１８Ａを備える。撮影レンズ１４は、カメラ本体１２前面の横方向中央部、縦方向やや上部に配置されており、電源オフ状態では、カメラ本体１２前面の内部に沈胴され、電源オン状態では、カメラ本体１２の前方に繰り出されて撮影ポジションに移動される。センサ１６は、前面からみて、撮影レンズ１４の左側に配置されている。グリップ部１８Ａは、後述するグリップ部１８Ｂと合わせてグリップ部１８を構成し、カメラ１０を手で保持する際に手で握られる部分であるが、カメラ１０を背面側と対峙して右手で保持した場合に、撮影レンズ１４及びセンサ１６に指が被さらないように、前面からみて、カメラ本体１２の左下側に配置されている。グリップ部１８Ａは、カメラ１０を上記のようにして保持した場合に、指が掛かるように凸形状とされている。
【００１７】
図１（Ｂ）に示すように、カメラ１０は、カメラ本体１２の背面に、グリップ部１８Ｂ、ファインダ２０、電源ボタン２２、表示ボタン２４、液晶モニタ２６、及びシャッタボタン２８を備える。グリップ部１８Ｂは、カメラ１０を背面側と対峙して、右手で保持した場合に、液晶モニタ２６に手のひらや指が被さらないように、背面からみてカメラ本体１２の右下側に配置されている。グリップ部１８Ｂは、カメラ１０をグリップ部１８Ａに指を掛けて上記のように保持した場合に、手のひらの一部が密着可能なように凹形状とされている。ファインダ２０は、背面からみて、カメラ本体１２の背面左上側に配置されており、電源ボタン２２はファインダ２０の下側に、表示ボタン２４は電源ボタン２２の下側に配置されている。液晶モニタ２６は、カメラ本体１２背面の下側に配置されている。
【００１８】
図２に示すように、シャッタボタン２８は、グリップ部１８Ｂの上側の、背面側から右手でグリップ部１８Ａ及びグリップ部１８Ｂ（以下両者をまとめて「グリップ部１８」という）を握ってカメラを保持した場合に、親指で押し込み可能な位置に配置されている。シャッタボタン２８は、誤操作防止のため、カメラ本体１２の外面よりも内側に埋没されており、シャッタボタン２８の周囲には溝３０が形成されている。
【００１９】
シャッタボタン２８は、図２にも示すように、撮影レンズ１４の光軸Ｌに沿った、Ｘ方向に押し込み可能となっており、Ｘ方向への押し込みによりシャッタの操作が行われる。ここで、Ｘ方向は、光軸Ｌとなす角θの方向を示すが、本実施の形態ではθ＝０°のＬ’方向に押し込み可能となっている。なお、θは０°〜４５°とすることができ、０°〜３０°であることが好ましが、特に、本実施の形態のように０°とすることが好ましい。
【００２０】
グリップ部１８Ａは、右手親指でシャッタボタン２８をＸ方向へ押し込む際に、グリップ部１８Ａに掛けられた指でＸ方向と逆方向のＹ方向へカメラ本体１２を押圧可能な位置に配置されている。
【００２１】
次に、本実施の形態の作用について説明する。
【００２２】
電源ボタン２２を操作して電源オン状態とすると、撮影レンズ１４は、カメラ本体１２の内部に沈胴された位置から前方へと繰り出されて撮影ポジションに移動され、液晶モニタ２６には被写体の画像が表示される。
【００２３】
ユーザーは、カメラ１０の背面側と対峙して、図２に示すように、グリップ部１８Ａに右手の人差し指、中指、薬指、及び小指の少なくとも１つの指を掛け、グリップ部１８Ｂに右手親指の付け根付近を入れて、カメラ１０を保持する。このとき、手のひらや指は、前面の撮影レンズ１４、センサ１６、及び背面の液晶モニタ２６には被さらず、撮影に支障はない。
【００２４】
シャッタ操作を行って写真を撮影する場合には、上記のようにカメラ１０が保持され、液晶モニタ２６によって被写体が確認されながら、右手親指でシャッタボタン２８が押し込まれる。なお、被写体の確認は、表示ボタン２４を操作して、液晶モニタ２６に画像表示を行わないようにし、ファインダ２０をのぞいて行うようにしてもよい。
【００２５】
図２に示すように、シャッタボタン２８の押し込みによる移動方向は、撮影レンズ１４の光軸Ｌに沿ったＸ方向であり、シャッタボタン２８を押し込む操作によりカメラ１０が押される方向は、Ｘ方向である。
【００２６】
図３に、シャッタボタン操作時における、カメラの移動量、移動方向、及び光軸Ｌとの直交成分の関係を示す。移動量Ｍが同一の場合、図３（Ａ）に示すように、シャッタボタンの移動方向がθ１＞４５°の方向であるカメラの場合、シャッタボタンが押されて移動した場合の光軸直交成分Ｎ１は、Ｎ１＝ｓｉｎθ１である。一方、図３（Ｂ）に示すように、カメラ１０が０≦θ≦４５°の方向（Ｘ方向）に押されて移動した場合の光軸直交成分Ｎは、Ｎ＝ｓｉｎθである。光軸直交成分Ｎ１とＮとを比較すると、θ１＞θであるので、Ｎ１＞Ｎとなることは明らかである。したがって、Ｘ方向にシャッタ２８を押し込んで撮影された写真の像ブレによる不鮮明さは低減される。
【００２７】
また、カメラ１０は、グリップ部１８Ａに掛けられた指により保持されているので、この指により、シャッタボタン操作時には、Ｘ方向への押し込みに対して逆方向であるＹ方向に力が加えられて、動きが抑制される。その結果、手振れによる像ブレが低減され、ブレの少ない鮮明な写真を撮影することができる。
【００２８】
なお、上記実施の形態では、シャッタボタン２８が、カメラ本体１２の背面に備えられた例について説明したが、図４に示すように、シャッタボタン２８は、カメラ本体１２の前面に配置することもできる。この場合には、シャッタボタン２８は、撮影レンズ１４の配置に抵触せず、前述のようにカメラ１０を保持した状態で、右手人差し指、中指、薬指、及び小指の少なくとも１つの指により操作可能な位置に配置される。
【００２９】
また、上記実施の形態では、撮影レンズ１４がカメラ本体１２と一体になっている例について説明したが、撮影レンズがカメラ本体から取り外し可能なカメラに本発明を適用することもできる。
【００３０】
【発明の効果】
以上説明したように、本発明によれば、シャッタを操作する際に、シャッタ操作部は撮影用レンズの光軸方向に沿って移動されるので、シャッタ操作部の操作により撮像装置が動いても、その方向は撮像用レンズの光軸に沿った方向であり、シャッタ操作部が光軸の直交方向に移動される場合と比較して、撮像装置の光軸の直交方向への動きは少なくなる。その結果、撮影された写真の像ブレによる不鮮明さを低減させることができる。
【図面の簡単な説明】
【図１】（Ａ）は、本実施の形態のカメラの前面斜視図であり、（Ｂ）は、本実施の形態のカメラの背面斜視図である。
【図２】本実施の形態のカメラの側面図である。
【図３】（Ａ）は、従来例のカメラ移動量、移動方向、及び光軸直交成分の関係を示す図であり、（Ｂ）は、本実施の形態のカメラの移動量、移動方向、及び光軸直交成分の関係を示す図である。
【図４】本実施の形態の他の例を示す図である。
【図５】従来例を示す図である。
【符号の説明】
１０    カメラ（撮像装置）
１２    カメラ本体（撮像装置本体）
１４    撮影レンズ（撮影用レンズ）
１８Ａ，１８Ｂ  グリップ部（保持部）
２８  シャッタボタン（シャッタ操作部）
Ｌ  光軸
Ｘ  光軸に沿った方向
【図１】
2005024999.tif 000003
【図２】
2005024999.tif 000004
【図３】
2005024999.tif 000005
【図４】
2005024999.tif 000006
【図５】
2005024999.tif 000007